(57)【特許請求の範囲】
【請求項１】
現在時刻表示機能及びクロノグラフ機能を備えた電子時計において、
発振器からのパルス信号に基づき、少なくとも計時用パルスと、早送りパルスを発生する発生手段と、
前記クロノグラフ機能のスタート指令及びストップ指令を発生する指令入力手段と、
前記スタート指令が入力されたときに、現在時刻を表示した前記指示針を前記早送りパルスに基づき基準位置に高速で移動させる基準位置移動手段と、
該基準位置移動手段により基準位置に移動した後に、前記指示針を前記計時用パルスにより計時しながら移動させる計時手段と、
該計時手段により指示針が駆動されているときに、前記ストップ指令が入力されると前記指示針を所定時間停止させるタイマ手段と、
該所定時間が経過すると前記指示針を高速で移動して、現在時刻位置に復帰させる復帰手段と、を含むことを特徴とする電子時計。
【請求項２】
前記指示針は秒針であり、少なくとも分針は前記秒針に連動していることを特徴とする請求項１記載の電子時計。
【請求項３】
前記タイマ手段により前記指示針が停止している前記所定時間内に、前記指令入力手段から指令が発せられると、該所定時間の経過を待つことなく、前記指示針を高速で移動して、現在時刻位置に復帰させることを特徴とする請求項１または２記載の電子時計。
【請求項４】
秒パルスを作成する秒信号作成手段と、早送りパルスを作成する早送り信号作成手段と、前記秒パルスと早送りパルスとのうちいずれか一つを出力するパルス切り換え手段と、該パルス切り換え手段が出力するパルスを指針駆動用の信号に変換する変換器と、該変換器により駆動される秒針と、該秒針に連動する分針と、前記パルス切り換え手段が出力するパルスを受け前記秒針と連動する針位置カウンタと、現在時刻秒を記憶する現在時刻カウンタと、該現在時刻カウンタと前記針位置カウンタとの一致を検出して一致検出信号を出力する一致検出手段と、前記針位置カウンタの基準位置を検出する基準位置検出手段と、スタート信号及びストップ信号を出力する外部操作スイッチと、該スタート信号及びストップ信号に基づき前記パルス切り換え手段を制御する制御信号発生手段とを有し、該制御信号発生手段は前記スタート信号を入力すると前記早送りパルスを選択し、前記基準位置検出回路が基準位置を検出すると前記秒パルスを選択するように前記パルス切り換え手段を制御するスタート制御手段と、前記ストップ信号を入力すると前記一致検出回路が一致を検出するまで前記早送りパルスを選択し、前記一致検出回路が一致を検出すると前記秒パルスを出力するように前記パルス切り換え手段を制御するストップ制御手段と、前記ストップ信号を入力してから所定時間計測後に前記ストップ制御手段に前記
ストップ信号を出力する遅延手段を有することを特徴とする電子時計。
【請求項５】
秒パルスを作成する秒信号作成手段と、早送りパルスを作成する早送り信号作成手段と、前記秒パルスと早送りパルスとのうちいずれか一つを出力するパルス切り換え手段と、該パルス切り換え手段が出力するパルスを指針駆動用の信号に変換する変換器と、該変換器により駆動される秒針と、該秒針に連動する分針と、前記パルス切り換え手段が出力するパルスを受け前記秒針と連動する針位置カウンタと、現在時刻秒を記憶する現在時刻カウンタと、該現在時刻カウンタと前記針位置カウンタとの一致を検出して一致検出信号を出力する一致検出手段と、前記針位置カウンタの基準位置を検出する基準位置検出手段と、スタート信号及びストップ信号を出力する外部操作スイッチと、該スタート信号及びストップ信号に基づき前記パルス切り換え手段を制御する制御信号発生手段と正逆判定手段を有し、該制御信号発生手段は前記スタート信号を入力すると前記早送りパルスを選択し、前記基準位置検出回路が基準位置を検出すると前記秒パルスを選択するように前記パルス切り換え手段を制御するスタート制御手段と、前記ストップ信号を入力すると前記一致検出回路が一致を検出するまで前記早送りパルスを選択し、前記一致検出回路が一致を検出すると前記秒パルスを出力するように前記パルス切り換え手段を制御するストップ制御手段と、前記ストップ信号を入力してから所定時間計測後に前記ストップ制御手段に前記ストップ信号を出力する遅延手段を有し、前記早送り信号作成手段は前記秒針を正転方向に早送りする正転早送りパルスと逆転方向に早送りする逆転早送りパルスを作成すると共に、前記正逆判定手段は前記針位置カウンタのカウンタ値に基づき前記スタート信号の発生時に前記正転早送りパルスと前記逆転早送りパルスのどちらを選択するか決定することを特徴とする電子時計。
【請求項６】
秒パルスを作成する秒信号作成手段と、早送りパルスを作成する早送り信号作成手段と、前記秒パルスと早送りパルスとのうちいずれか一つを出力するパルス切り換え手段と、該パルス切り換え手段が出力するパルスを指針駆動用の信号に変換する変換器と、該変換器により駆動される秒針と、該秒針に連動する分針と、前記パルス切り換え手段が出力するパルスを受け前記秒針と連動する針位置カウンタと、現在時刻秒を記憶する現在時刻カウンタと、該現在時刻カウンタと前記針位置カウンタとの一致を検出して一致検出信号を出力する一致検出手段と、前記針位置カウンタの基準位置を検出する基準位置検出手段と、スタート信号及びストップ信号を出力する外部操作スイッチと、該スタート信号及びストップ信号に基づき前記パルス切り換え手段を制御する制御信号発生手段と正逆判定手段を有し、該制御信号発生手段は前記スタート信号を入力すると前記早送りパルスを選択し、前記基準位置検出回路が基準位置を検出すると前記秒パルスを選択するように前記パルス切り換え手段を制御するスタート制御手段と、前記ストップ信号を入力すると前記一致検出回路が一致を検出するまで前記早送りパルスを選択し、前記一致検出回路が一致を検出すると前記秒パルスを出力するように前記パルス切り換え手段を制御するストップ制御手段とにより構成され、前記早送り信号作成手段は前記秒針を正転方向に早送りする正転早送りパルスと逆転方向に早送りする逆転早送りパルスを作成すると共に、前記正逆判定手段は前記針位置カウンタのカウンタ値に基づき前記スタート信号の発生時に前記正転早送りパルスと前記逆転早送りパルスのどちらを選択するか決定し、前記ストップ信号出力時に、前記スタート信号出力時の選択結果に基づき前記正転早送りパルスと前記逆転早送りパルスのどちらを選択するか決定することを特徴とする電子時計。
【請求項７】
前記ストップ信号を入力してから所定時間計測後に前記ストップ制御手段に前記ストップ信号を出力する遅延手段を有することを特徴とする請求項６に記載の電子時計。
【請求項８】
前記遅延手段動作中は前記秒針が停止しており、この期間中に前記一致検出回路が一致を検出すると前記正逆判定手段が前記正転早送りパルスを選択するよう決定されることを特徴とする請求項５または請求項７に記載の電子時計。
【請求項９】
現在時刻モードにおいて現在時刻を表示する電子時計において、前記現在時刻モードにおける外部スイッチの操作がクロノグラフスタート信号となると共に、時計がクロノグラフモードへ移行することを特徴とする電子時計。
【発明の詳細な説明】
【０００１】
【産業上の利用分野】
本発明はクロノグラフ機能の付いた１つのモーターで動く電子時計に関する。
【０００２】
【従来の技術】
従来より様々な機能（クロノグラフ、タイマー、アラーム等）を持ったアナログ多機能電子時計が開発製品化されている。またこれらに関する技術を開示した特許も数多く出願されている。例えば特開昭５８−２７０８５号公報には、クロノグラフ機能を搭載し時刻とクロノグラフが切り替え表示される電子時計が開示されている。
また特開昭５５−８９７８７号公報には時分針が現在時刻とアラーム時刻を切り替え表示するアナログアラーム時計が開示されている。
【０００３】
【発明が解決しようとする課題】
ところが上記のような多機能電子時計は、モードの切り替え時には指針の移動量が非常に多くなり、すばやくモードを切り替えるために複数のステップモータを持つ構成となっていた。そのため構成が複雑となり時計が大型化すると共にコスト的にも不利となっていた。
本発明は上記問題点を解決することを目的とし、クロノグラフ機能を損なうことなく１つのモータで駆動できる電子時計を提供することにある。
【０００４】
【課題を解決するための手段】
上記目的を達成するために本発明は、現在時刻表示機能及びクロノグラフ機能を備えた電子時計において、
発振器からのパルス信号に基づき、少なくとも計時用パルスと、早送りパルスを発生する発生手段と、
前記クロノグラフ機能のスタート指令及びストップ指令を発生する指令入力手段と、
前記スタート指令が入力されたときに、現在時刻を表示した前記指示針を前記早送りパルスに基づき基準位置に高速で移動させる基準位置移動手段と、
該基準位置移動手段により基準位置に移動した後に、前記指示針を前記計時用パルスにより計時しながら移動させる計時手段と、
該計時手段により指示針が駆動されているときに、前記ストップ指令が入力された場合に前記ストップ指令に基づいて、前記基準位置移動手段により移動した量に対応した量だけ前記指示針を高速で戻して、現在時刻位置に復帰させる復帰手段と、を含むことを特徴とする。
また、秒パルスを作成する秒信号作成手段と、早送りパルスを作成する早送り信号作成手段と、前記秒パルスと早送りパルスとのうちいずれか一つを出力するパルス切り換え手段と、該パルス切り換え手段が出力するパルスを指針駆動用の信号に変換する変換器と、該変換器により駆動される秒針と、該秒針に連動する分針と、前記パルス切り換え手段が出力するパルスを受け前記秒針と連動する針位置カウンタと、現在時刻秒を記憶する現在時刻カウンタと、該現在時刻カウンタと前記針位置カウンタとの一致を検出して一致検出信号を出力する一致検出手段と、前記針位置カウンタの基準位置を検出する基準位置検出手段と、スタート信号及びストップ信号を出力する外部操作スイッチと、該スタート信号及びストップ信号に基づき前記パルス切り換え手段を制御する制御信号発生手段とを有し、該制御信号発生手段は前記スタート信号を入力すると前記早送りパルスを選択し、前記基準位置検出回路が基準位置を検出すると前記秒パルスを選択するように前記パルス切り換え手段を制御するスタート制御手段と、前記ストップ信号を入力すると前記一致検出回路が一致を検出するまで前記早送りパルスを選択し、前記一致検出回路が一致を検出すると前記秒パルスを出力するように前記パルス切り換え手段を制御するストップ制御手段とにより構成されることを特徴とする。
また、現在時刻モードにおいて現在時刻を表示する電子時計において、前記現在時刻モードにおける外部スイッチの操作がクロノグラフスタート信号となると共に、時計がクロノグラフモードへ移行することを特徴とする。
【０００５】
【実施例】
まず図１〜図３を用いて本発明の具体的な動作例を説明する。図１〜図３は本発明に係る電子時計の外観図である。
図１〜図３において、１０１は現在時刻の秒またはクロノグラフの秒を示す秒針、１０２は現在の時刻を表示する時分針、１０３は現在時刻とクロノグラフ機能のモード変更およびクロノグラフ機能のスタート、ストップを行なうための外部スイッチ、１０４は時分針１０２を機械的に動作させるためのリューズスイッチである。
【０００６】
図１は現在時刻が１０時１０分２４秒の時にクロノグラフ機能を１５秒間操作したときの状態変化を示している。
まず図１（ａ）に示す通常時刻表示状態で外部スイッチ１０３を一回押すと、図１（ｂ）に示すように秒針１０１が逆転早送り動作され１２時位置に移動する。このときこの電子時計は１モータであるので、時分針１０２は現在時刻より２４秒遅れて１０時１０分を示すことになる。そして秒針１０１はクロノグラフ用の秒針となり１秒ステップで計時動作を開始する。つまりこのとき２４秒遅れた時計としてクロノグラフ表示を行なっているのである。そして外部スイッチ１０３を操作すると秒針１０１は図１（ｃ）に示すように計時時間である１５秒の位置で停止する。この位置で１０秒間停止すると自動的にクロノグラフモードは解除され、図１（ｄ）に示すように、秒針１０１は３４秒正転して１０時１０分４９秒の現在時刻を表示し、以後通常の時計として動作する。ここで３４秒正転するのは前述したように、この時計が２４秒遅れた形でクロノグラフ表示を行なった後１０秒間停止したためであり、正確な現在時刻に戻るため３４秒正転するわけである。また図１（ｃ）の状態で１０秒以内に外部スイッチ１０３を操作すると、強制的に現在時刻モードに戻る。この時も時計の進み時間を考慮して正確な現在時刻に戻る。
【０００７】
図２は現在時刻が１０時１０分２５秒の場合における状態変化を示している。ここで外部スイッチ１０３を操作すると図２（ｂ）に示すように秒針１０１は正転動作で１２時位置に移動する。そして図１の場合と同様にして秒針１０１はクロノグラフ動作を開始する。つまり現在時刻より３５秒進んだ時計としてクロノグラフの計時を行なう。そして外部スイッチ１０３を操作すると、図２（ｃ）に示すように計時時間である１５秒の位置で停止する。ここで１０秒間停止した後現在時刻モードに戻るが、図２の場合は３５秒進んで１０秒間停止するため２５秒進んでいる。よって図２（ｄ）に示すように２５秒逆転して正しい現在時刻に復帰する。
【０００８】
図３は現在時刻が１０時１０分５５秒の場合における状態変化を示している。ここで外部スイッチ１０３を操作すると図３（ｂ）のように秒針１０１は正転で１２時位置に移動し、クロノグラフ動作を開始する。つまり現在時刻より５秒進んだ状態でクロノグラフの計時を行なう。ここで外部スイッチ１０３を操作すると、図３（ｃ）に示すように経過時間である１５秒を指して秒針１０１は停止する。ここで１０秒間停止した後現在時刻モードに戻るが、前述した図１、図２の場合と異なり、この場合は５秒進んで１０秒遅れるので結果的に５秒遅れた時計となるため、図３（ｄ）に示すように５秒間正転して現在時刻に復帰する。
【０００９】
以上が本発明の具体的動作の説明である。つづいて上記動作を行なうためのシステム構成について、図４を用いて説明する。
図４は、本発明に係わる電子時計の回路図ブロック図である。
１は基準信号を発振する発振回路で、２は発振回路１の信号を分周する分周回路である。
３は０位置修正時のモータ駆動用信号を作成する０位置修正信号波形整形回路であり、４は正転早送り時のモータ駆動用信号を作成する正転早送り信号発生手段である正転早送り信号波形整形回路であり、５は逆転早送り時のモータ駆動用信号を作成する逆転早送り信号発生手段である逆転早送り信号波形整形回路であり、６は通常の１秒運針時のモータ駆動用信号を作成する秒信号作成手段である通常１秒信号波形整形回路であり、７はクロノモード時の１秒運針時のモータ動用信号を作成する計時秒信号作成手段であるクロノ１秒信号波形整形回路である。
８は各モータ駆動用信号の選択出力を行うパルス切り換え手段であるセレクタ群であり、Ｃ１入力が“Ｈ”のときはＩ１入力を、Ｃ２入力が“Ｈ”のときはＩ２入力を選択出力するように構成されている。またＣ１〜Ｃ５端子のいずれかが同時に”Ｈ”レベルとなった時は端子番号の小さいほうが優先される。セレクタ群８の具体的な構成は後述する。
９はセレクタ群８より選択されたモータ駆動用信号を用いてモータを駆動させるためのモータドライバであり、１０はモータドライバ９によって駆動されるモータであり、１０１はモータ１０により動作する秒針である。また１０２は秒針１１に連動する時分針である。
１３はモータ１０が何回駆動したかを計測する６０進の針位置カウンタであり、１５は通常１秒信号波形整形回路６の出力を計測する６０進の現在時刻カウンタであり、１４は針位置カウンタ１３と現在時刻カウンタ１５の一致を検出するための一致検出回路である。
１６は針位置がどの区間にあるかを判定する区間判定回路であり、針位置が０〜２４秒のとき“Ｌ”レベル、２５〜５９秒のとき“Ｈ”レベルを出力するように構成されている。
１７は区間判定回路の出力を記憶するための区間判定記憶手段であるデータフリップフロップ（以下、Ｄ．Ｆ．Ｆ．という）であり、１９はアンドゲートであり、２０はインバータである。
２１はＤ．Ｆ．Ｆ．であり、２２、２３はアンドゲート、２４はインバータであり、これらで帰零方向決定手段１００を構成している。
２５はＤ．Ｆ．Ｆ．であり、２６、２７はアンドゲート、２８はインバータであり、これらで復帰方向決定手段２００を構成している。
また４１、４２はオアゲートである。
以上のＤ．Ｆ．Ｆ．１７、帰零方向決定手段１００、復帰方向決定手段２００などで正逆判定手段３００を構成している。
１０３は計時機能、つまりクロノグラフ機能（以下クロノ機能という）と現在時刻とに機能を切り換える外部操作スイッチ（以下クロノスイッチという）であり、２９は制御信号発生手段であるシフトレジスタで、リセット後はＭ１のみが”Ｈ”レベル、その後Φ端子にクロックが入力される毎にＭ２、Ｍ３へと”Ｈ”レベルが移行する。
３０はタイマー回路であり、シフトレジスタ２９のＭ３端子が”Ｈ”レベルになるとリセットを解除され１０秒間を測定する。そして１０秒間を測定すると”Ｈ”レベルの信号をオアゲート４３に出力する。
１８は基準位置検出手段である０位置検出回路で、針位置が０位置であることを検出する。
その他３１、３２、３３はアンドゲート、３４、３５、４３はオアゲート、３６、３７、３８はインバータである。
４０はリューズ１０４に連動し、回路にリセットをかけるためのリセットスイッチである。
【００１０】
次に本発明の電子時計の動作を、図４〜図７を用いて説明する。
図５〜図７は主要構成部分の信号状態を示したタイムチャートである。
まずイニシャライズとして秒針１０１の０位置を決定する必要がある。
通常の時計と同様に、時分針１０２はリューズ１０４を引いた状態で、リューズ１０４を回転させることにより時刻を合わせる。
またリューズ１０４を引いた状態ではリセットスイッチ４０がオンしてリセットモードになり、針位置カウンタ１３、現在時刻カウンタ１５、Ｄ．Ｆ．Ｆ．１７、シフトレジスタ２９がリセットされる。この状態でクロノスイッチ１０３を操作するとアンド３１の出力が”Ｈ”レベルになり、セレクタ群８のＣ１入力が”Ｈ”レベルになることにより０位置修正信号波形整形回路３の出力を選択し、モータドライバ９によりモータ１０が駆動され、秒針１０１が駆動される。
秒針１０１が０の位置を示したらクロノスイッチ１０３の操作をやめる。
リューズ１０４を元の位置に戻すとリセットスイッチ４０がオフされ、秒針１０１の０位置が確定される。またシフトレジスタ２９のＭ１出力の”Ｈ”レベルの信号がセレクタ群８のＣ４端子に入力され、通常時刻モードになる。
通常時刻モードになると、セレクタ群８はＣ４入力が”Ｈ”レベルであるので、Ｉ４入力、すなわち通常１秒信号波形整形回路６の出力を選択する。よって秒針１０１は通常の１秒運針を開始し、現在時刻カウンタ１５は通常１秒信号波形整形回路６の出力回数の計測を、また針位置カウンタ１３は運針回数の計測を開始する。
【００１１】
次にクロノを使用する場合について説明する。
まず秒針１０１の位置が０〜２４秒の時にクロノをスタートする時、つまり図２の場合について図５を用いて説明する。
通常時刻モードにおいてクロノスイッチ１０３を操作するとアンドゲート４４に１発のクロックが出力される。この時アンドゲート４４のもう一方の入力は”Ｈ”レベルであるのでシフトレジスタ２９のΦ端子にクロックが入力され、Ｍ２出力が”Ｈ”になりクロノランモードになる。クロノランモードになるとクロノ１秒信号波形整形回路７のリセットが解除される。同時にオア３５にもシフトレジスタ２９のＭ２出力が”Ｈ”レベルで入力される。このときもう一方の入力は”Ｌ”レベルであるのでオア３５の出力は”Ｌ”レベルから”Ｈ”レベルになり、Ｄ．Ｆ．Ｆ．２１はこの立ち上がりに同期してＤ入力の”Ｈ”レベルを読み込み”Ｈ”レベルを出力する（図５に示すｔ１のタイミングがこれにあたる）。またクロノスイッチ１０３を操作したとき秒針１０１の位置が０〜２４秒なので区間判定回路１６は”Ｌ”レベルを出力しており、Ｄ．Ｆ．Ｆ．１７はシフトレジスタ２９のＭ２出力の立ち上がりに同期して、インバータ２０を介した”Ｈ”レベルの信号を読み込み、”Ｈ”レベルを出力する。またこの時Ｄ．Ｆ．Ｆ．２５は初期段階でリセットされた後何の操作も受けていないため”Ｌ”レベルの信号を出力している。よってアンド２６、２７は共に”Ｌ”レベルを出力している。そのためＤ．Ｆ．Ｆ．２１の出力が”Ｈ”レベルになると、区間判定回路１６の出力を反転したインバータ２４の出力の”Ｈ”レベルとによりアンド２３の出力が”Ｈ”レベルになる。よってオア４１を介してセレクタ群８のＣ３入力が”Ｈ”レベルになる。セレクタ群８はＣ３入力が”Ｈ”レベルになるとＩ３入力すなわち逆転早送り信号波形整形回路５の出力を選択し、モータドライバ９、モータ１０により秒針１０１が逆転早送りされる。
そして針位置カウンタ１３が逆転早送りした数だけカウントダウンされ、カウンタ内容が０になると０位置検出回路１８が０を検出し”Ｈ”レベルを出力する（図５に示すｔ２がこのタイミングにあたる）。よってＤ．Ｆ．Ｆ．２１がリセットされ、Ｑ出力が”Ｌ”レベルになりアンド２３、オア４１が”Ｌ”レベルになると、既にＣ５端子はｔ１のタイミングで”Ｈ”レベルとなっているため、セレクタ群８はクロノ１秒信号波形整形回路７の出力を選択し、秒針１０１はクロノ１秒運針を開始する。つまりクロノランモードになる。図２（Ｂ）は以上の状態を示している。
ここで秒針１０１が０位置に戻る動作、つなわち帰零動作は最大でも１秒以内に終了する早さで行うように逆転早送りパルスの周波数は設定されているため、秒針１０１の最初のクロノ１秒運針はクロノスイッチ１０３を操作した時点、つまり図５のｔ１のタイミングよりより１秒後に行われ、帰零時の時間も含まれることになる。
【００１２】
クロノランモード時にクロノスイッチ１０３を操作するとアンド４４を介してシフトレジスタ２９にクロックが入力されＭ３出力が”Ｈ”レベルになりクロノストップモードになる（図５に示すｔ３のタイミングがこれにあたる）。クロノストップモードになるとタイマー回路３０がリセットを解除され１０秒間の計測を開始する。この間セレクタ群８のＣ１〜Ｃ５の入力端子はいずれも”Ｌ”レベルとなるので秒針１０１は運針を行わず、計測時間を表示したままストップする。そしてタイマー回路３０が１０秒間の計測を終了すると”Ｈ”レベルを出力する（図５に示すｔ４のタイミングがこれにあたる）。また、クロノストップモードになってから１０秒以内にクロノスイッチ１９を操作してもシフトレジスタ２９のＭ４出力が”Ｈ”レベルになる。これらのどちらかによりオア４３の出力が”Ｌ”レベルから”Ｈ”レベルになり、Ｄ．Ｆ．Ｆ．２５はオア４３の立ち上がりに同期してＤ入力の”Ｈ”レベルを読み込み”Ｈ”レベルを出する。
Ｄ．Ｆ．Ｆ．２５が”Ｈ”レベルを出力するとＤ．Ｆ．Ｆ．１７の”Ｈ”レベル出力とにより、アンド２６が”Ｈ”レベルになる。アンド２６が”Ｈ”レベルになるとオア４２を介してセレクタ群８のＣ２端子が”Ｈ”レベルになる。よってセレクタ群８はＩ２出力すなわち正転早送り信号波形整形回路４の出力を選択し、モータドライバ９、モータ１０により秒針１０１を正転早送りさせる。と同時に正転早送りの回数だけ針位置カウンタ１３がカウントアップされる。針位置カウンタ１３と現在時刻カウンタ１５が一致すると一致検出回路１４が一致を検出し”Ｈ”レベルを出力し、Ｄ．Ｆ．Ｆ．２５にリセットがかかる。Ｄ．Ｆ．Ｆ．２５にリセットがかかると出力が”Ｌ”レベルになり、アンドゲート２６、オアゲート４２が”Ｌ”レベルになる。また、一致検出回路１４の出力の”Ｈ”レベルとオアゲート４３の出力の”Ｈ”レベルによりアンドゲート３３の出力が”Ｈ”レベルになり、オアゲート３４を通してシフトレジスタ２９がリセットされ、再びＭ１が”Ｈ”レベルになり、通常時刻モードに復帰する。するとタイマー回路３０はリセットされ、その出力は”Ｌ”レベルとなる（図５に示すｔ５のタイミングがこれにあたる）。通常時刻モードに復帰するとアンド３３は”Ｌ”レベルを出力し、セレクタ群８は通常１秒信号波形整形回路６の出力を選択出力し、通常の１秒運針を開始する。なおクロノモード中でも現在時刻カウンタ１５は現在時刻をカウントし続けるため、現在時刻カウンタ１５と針位置カウンタ１３の一致を取ることにより時計は正確な現在時刻に復帰できる。
【００１３】
次に秒針の位置が２５〜４９秒の時にクロノをスタートする場合、つまり図１の場合について図６を用いて説明する。
秒針１１の位置が２５秒〜４９秒の場合でも前述した０秒〜２４秒の場合と基本的な動作は変わらない。ただ、この場合ではクロノモードに移行するとき区間判定回路１６の出力が”Ｈ”レベルであるため、アンドゲート２２の出力が”Ｈ”レベルとなりオアゲート４２を介してセレクタ群８のＣ２端子が”Ｈ”レベルとなる。よって秒針１０１は正転で早送りされる。
そして針位置カウンタ１３が正転早送りした数だけカウントアップされ、カウンタ内容が０になると０位置検出回路１８が０を検出し”Ｈ”レベルを出力する。よってＤ．Ｆ．Ｆ．２１がリセットされ、Ｑ出力が”Ｌ”レベルになりアンド２２、オア４２が”Ｌ”レベルになると、既にＣ５端子は”Ｈ”レベルとなっているため、セレクタ群８はクロノ１秒信号波形整形回路７の出力を選択出力し、秒針１０１はクロノ１秒運針を開始する。つまりクロノランモードになる（図６のｔ１〜ｔ２がこれにあたる）。図１（Ｂ）は以上の状態を示している。
【００１４】
続いてスイッチ１０３を操作すると、クロノストップモードになる（図６のｔ３に示すタイミングがこれにあたる）。そしてタイマー回路３０が１０秒間の計測を終了するかまたはこの１０秒間にクロノスイッチ１０３を操作すると前述した０秒〜２４秒におけるクロノ復帰動作と同様に現在時刻モードへ戻る。ただこの場合はクロノスタート時に区間判定回路１６の出力が”Ｈ”レベルとなっていたため、Ｄ．Ｆ．Ｆ．１７の出力は”Ｌ”レベルとなっておりその結果０秒〜２４秒におけるクロノ復帰動作とは逆にアンド２７が”Ｈ”レベルになる。そしてオア４１を介してセレクタ群８のＣ３端子が”Ｈ”レベルとなる。よってセレクタ群８は逆転早送り信号波形整形回路４の出力を選択出力し、モータドライバ９、モータ１０により秒針１０１を逆転早送りさせる。と同時に逆転早送りの回数だけ針位置カウンタ１３がカウントダウンされる。針位置カウンタ１３と現在時刻カウンタ１５が一致すると一致検出回路１４が一致を検出し、現在時刻モードに復帰する（図６のｔ４〜ｔ５がこれにあたる）。図１（Ｄ）はこの状態を表わしている。
【００１５】
次に秒針１０１の位置が５０〜５９秒の時にクロノをスタートする場合、つまり図３の場合について図７を用いて説明する。
通常運針状態からクロノ動作をスタートさせ、クロノストップモードになるまでは、現在時刻秒が２５〜４９秒の時にクロノをスタートする場合と同様であるので説明は省略する。
現在時刻秒針が５０秒〜５９秒の時にクロノを動作させる場合と、現在時刻秒が２５秒〜４９秒の時にクロノを動作させる場合とで、最も大きな違いはクロノストップ状態の時にある。この時前者の場合だと、クロノストップ時に現在時刻が追い付く可能性がある。なぜならクロノモードが表示する時間と現在時刻との差が１０秒以下しかないからである。
クロノストップモードにしたとき、Ｄ．Ｆ．Ｆ．１７の出力は”Ｌ”レベルになっている（図７に示すｔ３のタイミングがこれにあたる）。しかしこの時、現在時刻がクロノ表示時刻に追い付く、つまり針位置カウンタ１３と現在時刻カウンタ１５が一致すると、一致検出回路１４が一致を検出して”Ｈ”レベルを出力する（図７に示すｔ３’のタイミングがこれにあたる）。今はクロノストップモードなのでシフトレジスタ２９はＭ３端子を”Ｈ”レベルで出力している。よってアンド１９の出力が”Ｈ”レベルになり、Ｄ．Ｆ．Ｆ．１７がセットされ、出力が”Ｈ”レベルになる。この後タイマー回路３０が１０秒を計測するかまたはクロノスイッチ１０３を操作するとアンド２６の出力が”Ｈ”レベルになり、オア４２を介してセレクタ群８のＣ２端子が”Ｈ”レベルとなる。よって秒針１０１は正転で現在時刻に復帰する（図７に示すｔ４〜ｔ５がこれにあたる）
一方、クロノストップモードにおいて、現在時刻がクロノ表示時刻に追い付く前、つまり針位置カウンタ１３と現在時刻カウンタ１５が一致する以前にスイッチ１０３を操作すると、Ｄ．Ｄ．Ｆ．１７の出力は”Ｌ”レベルのままであるため、アンド２７の出力が”Ｈ”レベルとなりセレクタ群８のＣ３端子が”Ｈ”レベルとなるため秒針１０１は逆転で現在時刻に復帰する。
【００１６】
以上説明したように本実施例では、通常時刻モードからクロノモードへ移行するときの秒針１０１の帰零方向に対応して通常時刻モードへ復帰するときの秒針１０１の回転方向を制御しているため、針位置カウンタ１３と、現在時刻カウンタ１５の一致を検出するだけで、クロノモードを使用しても正しい現在時刻へ確実に復帰できる。またクロノストップ状態で、現在時刻が表示時間に追い付いたとしても、針位置カウンタ１３と現在時刻カウンタ１５の一致検出により、区間判定記憶手段であるＤ．Ｆ．Ｆ．１７の出力信号を反転させるため正しい現在時刻に復帰できる。
【００１７】
次にセレクタ群８の具体的構成例を図８により説明する。
図８において８１〜８４はセレクタであり、Ｃ入力端子が”Ｈ”レベルならばＡ入力の信号を、またＣ入力端子が”Ｌ”レベルならばＢ入力の信号をＱ端子から出力する。８５はアンドゲートである。
今Ｃ１入力のみが”Ｈ”レベルであればセレクタ８４がＡ入力であるＩ１の信号を出力する。またＣ４のみが”Ｈ”レベルであればセレクタ８１はＡ入力であるＩ４の信号をセレクタ８２のＢ入力端子に出力する。セレクタ８２はＣ３入力が”Ｌ”レベルであるのでＢ入力端子に入力される信号、すなわちセレクタ８１を介して来たＩ４の信号をセレクタ８３のＢ入力に出力する。以下同様にしてセレクタ群８としてはＩ４の信号を出力することになる。またＣ２とＣ５が同時に”Ｈ”レベルであったとすると、アンド８５がセレクタ８１のＢ入力端子にＩ５の信号を出力するため、セレクタ８１、セレクタ８２を介してＩ５の信号がセレクタ８３のＢ入力に出力される。ところがＣ２端子は”Ｈ”レベルであるのでセレクタ８３ではＡ入力端子に入力されているＩ２の信号を出力する。よってセレクタ群８としてはＩ２の信号を出力する。つまりＣ２とＣ５が同時に”Ｈ”レベルの場合はＣ２のほうが優先される。
以上のようにしてセレクタ群８ではＣ１のみが”Ｈ”レベルならばＩ１の信号を、Ｃ２のみが”Ｈ”レベルならばＩ２の信号を、という具合にＣ入力端子が”Ｈ”レベルである番号と同じ番号のＩ入力端子に入力される信号を出力するように構成されている。また複数のＣ入力端子が同時に”Ｈ”レベルになった場合は番号の小さいほうに対応するＩ入力の信号が優先される。
またＣ入力端子の全てが”Ｌ”レベルのときはセレクタ８１のＢ入力端子が”Ｌ”レベルとなるため、Ｉ１〜Ｉ５のいずれの信号も出力されず、”Ｌ”レベルの信号が出力されるようになっている。
【００１８】
次に時刻モードからクロノラン状態へ移行するときに秒針１０１が１秒〜２４秒まででは逆転で０位置にもどり、２５秒〜５９秒では正転で０位置に移動するよう構成されている理由を説明する。
本発明における電子時計では、クロノモードでも秒針１０１が１秒ごとに運針を行なうため、偶然にクロノモードに入った場合などはユーザーが現在時刻モードと勘違いする可能性がある。そのためクロノモードで計測中の電子時計が、実際の現在時刻に対してなるべく誤差が少ないほうが望ましい。
【００１９】
本発明の電子時計を従来あるように、現在時刻モードでの秒針１０１が３０秒以上なら正転で、３０秒未満なら逆転で０位置へ移行するよう構成したとする（以下これを３０秒での振り分け運針と呼ぶ）。すると逆転で０位置へ移行した場合、現在時刻に対して３０秒遅れた表示を行なうことになる。さらにクロノストップ状態で１０秒停止するため最大で４０秒遅れた表示を行なうことになってしまう。一方本発明のように２５秒以上なら正転、２５秒未満なら逆転とすると、逆転時の最大の遅れは３５秒、正転時の最大の進みも３５秒となり最大でも現在時刻に対して３５秒のズレしか生じない。そのため２５秒で振り分け運針を行なうように構成してある。
【００２０】
上記の説明で明らかなように、振り分け運針を行なう境界点と、クロノストップ状態での停止時間とは相関がある。つまり上記実施例ではクロノストップ状態での停止時間が１０秒であるために２５秒で振り分け運針を行ない、現在時刻との誤差を最大でも３５秒となる様に構成してある。したがってもしクロノストップ状態での停止時間を２０秒とすると振り分け運針を行なう境界点を２０秒とするのが望ましい。この時現在時刻との最大の誤差は４０秒となる。
【００２１】
しかしながら必ずしも上記のような振り分け運針を行なう必要はなく、クロノストップ状態での停止時間に関わらず、従来通り３０秒で振り分けを行なっても十分に本発明の目的を達成することは可能である。
【００２２】
【発明の効果】
上記のごとく本発明によれば、クロノグラフ機能を使用した後、確実に現在時刻に戻ることができるため、１モータのクロノグラフ機能付き電子時計が実現できる。
【図面の簡単な説明】
【図１】本発明の一実施例を示す電子時計の外観状態変化図である。
【図２】本発明の一実施例を示す電子時計の外観状態変化図である。
【図３】本発明の一実施例を示す電子時計の外観状態変化図である。
【図４】本発明の一実施例を示す電子時計の回路ブロック図である。
【図５】本発明の動作例を示すタイムチャートである。
【図６】本発明の動作例を示すタイムチャートである。
【図７】本発明の動作例を示すタイムチャートである。
【図８】本発明のセレクタ群を示す回路ブロック図である。
【符号の説明】
３ ０位置修正信号波形整形回路
４ 正転早送り信号波形整形回路
５ 逆転早送り信号波形整形回路
６ 通常一秒信号波形整形回路
７ クロノ一秒信号波形整形回路
８ セレクタ群
１３ 針位置カウンタ
１４ 一致検出回路
１５ 現在時刻カウンタ
１６ 区間判定回路
１７ データフリップフロップ
１８ ０位置検出回路
２９ シフトレジスタ
３０ タイマー回路
１００ 帰零方向決定手段
１０１ 秒針
１０２ 時分針
１０３ 外部スイッチ（クロノスイッチ）
２００ 復帰方向決定手段
３００ 正逆判定手段
【図１】
0003602205.tif 000002
【図２】
0003602205.tif 000003
【図３】
0003602205.tif 000004
【図４】
0003602205.tif 000005
【図５】
0003602205.tif 000006
【図６】
0003602205.tif 000007
【図７】
0003602205.tif 000008
【図８】
0003602205.tif 000009